(57)【要約】【課題】  縁付きの食品用トレーをその底が浮いた状態で包装できる包装箱であって、従来のものに比べ使用する部材が少ない包装箱を提供することを課題とする。【解決手段】  本発明にかかる包装箱１は、縁付きの食品用トレーを包装するための包装箱であって、互いに向い合う一対の側壁５、６と、組立時に組込まれる仕切り板３と、を備えている。一対の側壁５、６は、底辺付近を基端として上方に延びる上延片１９、２９を有し、仕切り板３は、外側端またはその近傍から内側上方に伸延するように切込まれた誘導切込み部５３、５４を有している。そして、誘導切込み部５３、５４に上延片１９、２９を挿入しながら仕切り板３を組込むことで、誘導切込み部５３、５４に誘導された上延片１９、２９が内側に傾斜し、上延片１９、２９が食品トレーの縁を支えるための支持部として機能するようにする。【選択図】図４
2008081175.tif 000002
【特許請求の範囲】
【請求項１】
縁付きの食品用トレーを包装するための包装箱であって、
互いに向い合う一対の側壁と、組立時に組込まれる仕切り板と、を備え、
該一対の側壁のうち少なくとも一の側壁は、底辺付近を基端として上方に延びる上延片を有し、
該仕切り板は、外側端またはその近傍から内側上方に伸延するように切込まれた誘導切込み部を有し、
該誘導切込み部に該上延片を挿入しながら仕切り板を組込むことで、該誘導切込み部に誘導された該上延片が内側に傾斜し、該上延片が該食品トレーの縁を支えるための支持部として機能する、包装箱。
【請求項２】
該仕切り板は、一対の側壁の間に掛け渡されるように組込まれる、請求項１記載の包装箱。
【請求項３】
該上延片を有する側壁は切込み線又は切断線を有し、該切込み線又は該切断線が該上延片の縁となることで、該側壁の一部が該上延片になる、請求項１又は２記載の包装箱。
【請求項４】
該上延片を有する側壁は、該上延片の上部において、上下方向に切込まれた案内切込み部を有する、請求項１乃至３のうちいずれか一の項に記載の包装箱。
【発明の詳細な説明】
【技術分野】
【０００１】
本発明は、包装箱に関し、特に、縁付きの食品用トレーを包装するための包装箱に関する。
【背景技術】
【０００２】
いちごやぶどう等の果物が入ったトレーを包装するには、運搬時の振動が直接果物に伝わるのを防ぐため、トレーをその底が浮いた状態で包装する場合がある。このような包装ができる包装箱として、特許文献１では、物品支持片を内方左右側壁板に沿って設け、この物品支持片でトレーの縁を支持する包装箱が提案されている（特許文献１の図５参照）。また、特許文献２では、支持パネルを側板パネルに沿って設け、この支持パネルがトレーのフランジ部を支持する包装箱が提案されている（特許文献２の図２参照）。これらの包装箱によれば、トレーの縁を物品支持片又は支持パネルで支持できるため、トレーをその底が浮いた状態で包装することができる。
【特許文献１】特開平２００５−１７０４７９号公報
【特許文献２】実用新案登録第３１１６６０６号公報
【発明の開示】
【発明が解決しようとする課題】
【０００３】
ところが、特許文献１及び２に記載の包装箱は、箱を形成する側壁（内方左右側壁板又は側板パネル）とは別にトレーを支えるための部材（物品支持片又は支持パネル）を備えており、通常の包装箱に比べて、使用する材料が多く、また、組立も複雑になってしまうという問題があった。特に、いちご等の食品用トレーを包装する包装箱は、上面が開口していることから、箱の剛性を保つために側壁が平板を複数枚重ねてなる場合も多く（特許文献１の図５および特許文献２の図８参照）、このような場合ではさらに組立作業が複雑になってしまう。
【０００４】
そこで本発明は、縁付きの食品用トレーをその底が浮いた状態で包装できる包装箱であって、従来のものに比べ使用する材料が少ない包装箱を提供することを課題とする。
【課題を解決するための手段】
【０００５】
上記課題を解決するため、本願発明にかかる包装箱は、縁付きの食品用トレーを包装するための包装箱であって、互いに向い合う一対の側壁と、組立時に組込まれる仕切り板と、を備え、該一対の側壁のうち少なくとも一の側壁は、底辺付近を基端として上方に延びる上延片を有し、該仕切り板は、外側端またはその近傍から内側上方に伸延するように切込まれた誘導切込み部を有し、該誘導切込み部に該上延片を挿入しながら仕切り板を組込むことで、該誘導切込み部に誘導された該上延片が内側に傾斜し、該上延片が該食品トレーの縁を支えるための支持部として機能する（請求項１）。
【０００６】
かかる構成によれば、上延片は包装箱の内側に傾斜した状態で固定されるため、側壁よりも突出した部分が支持部として機能する。よって、支持部を側壁全体に設ける必要が無く、部分的に設けた部材を支持部として機能させることができる。
【０００７】
また、上記包装箱において、該仕切り板は、一対の側壁の間に掛け渡されるように組込まれるようにしてもよい（請求項２）。かかる構成によれば、上延片を固定する仕切り板が、両端部分で側壁にしっかりと固定されるため、その結果として上延片の安定性を増すことができる。
【０００８】
また、上記包装箱において、該上延片を有する側壁は切込み線又は切断線を有し、該切込み線又は該切断線が該上延片の縁となることで、該側壁の一部が該上延片になるようにしてもよい（請求項３）。ここで、「切込み線」とは、その線上が完全に切込まれた線をいい、「切断線」とは、その線上において容易に切込めるよう加工がなされた線をいう。かかる構成によれば、食品トレーの縁を支えるための部材を特別に設ける必要が無く、側板を構成する部材の一部を用いて、支持部を構成することができる。加えて、使用される部材を減らすことで、組立を容易にすることもできる。
【０００９】
また、上記包装箱において、該上延片を有する側壁は、該上延片の上部において、上下方向に切込まれた案内切込み部を有するようにしてもよい（請求項４）。かかる構成によれば、仕切り板を案内切込み部に挿入するだけで、適切に仕切り板を組込むことができる。よって、仕切り板の組み込み作業が容易となる。  
【発明の効果】
【００１０】
本願発明によれば、支持部を側壁全体に設ける必要が無く、部分的に設けた部材を支持部として機能させることができる。よって、縁付きの食品用トレーをその底が浮いた状態で包装できる包装箱であって、従来のものに比べ使用する材料が少ない包装箱を提供することができる。
【発明を実施するための最良の形態】
【００１１】
本願発明にかかる包装箱１を実施するための最良の形態について、図１〜７を参照しつつ以下に説明する。
【００１２】
包装箱１は、段ボールシート１Ａから組立てられる。そこでまず、包装箱１の組立に使用する段ボールシート１Ａについて説明する。図１は、本実施形態にかかる包装箱１の組立に使用する段ボールシート１Ａの平面図である。図中の破線は、折曲げ線を表わしている。段ボールシート１Ａは、大きく分けて、本体シート２と仕切り板３の２つの部分から構成されている。このうち本体シート２は、底平板４と、左平板５と、右平板６と、前平板７と、後平板８と、前平板フラップ９、１０と、後平板フラップ１１、１２とから構成されている。以下では、本体シート２の各構成部分４〜１２と仕切り板３について順に説明する。なお、本体シート２は、図１中、上方を「後」とし、下方を「前」とし、左右方向をそれぞれ「左右」として説明する。また、仕切り板３は、図１中、上下左右をそれぞれ「上下左右」として説明する。
【００１３】
底平板４は、組立状態において包装箱１の底面を構成する。図１に示すように、底平板４は段ボールシート１Ａの中央に位置している。底平板４は２つの切り起こし部１３、１４と４つの切り欠き部１５〜１８とを有している。
【００１４】
底平板４の切り起こし部１３、１４は、底平板４の中央付近に位置している。ここで、本体シート２の左右方向中央を通過し、かつ、前後方向に伸延する線を仮想中央線Ｌと定義すると、２つの切り起こし部１３、１４は、仮想中央線Ｌを基準として、線対象の関係となっている。切り起こし部１３、１４の形状は前後方向に伸延する略長方形であって、これらの四辺のうち、内側の辺が折曲げ線１３ａ、１４ａで形成され、残りの三辺が切込み線で形成されている。なお、折曲げ線１３ａ、１４ａの辺と向い合う辺１３ｂ、１４ｂは、中間部分が内方に深く切れ込んでいる。
【００１５】
底平板４の切り欠き部１５〜１８は、底平板４と左平板５との境界付近に２つ、および底平板４と右平板６との境界付近に２つ施されている。切り欠き部１５〜１８の形状は、前後方向に延びる略長方形である。
【００１６】
左平板５は、組立状態において包装箱１の左側壁を構成する。図１に示すように、左平板５は底平板４の左側に位置して底平板５と連結しており、その境界部分には折曲げ線が施されている。また、左平板５は、上延片１９と、案内切込み部２０と、側延片２１、２２と、中央折曲げ線２３、２４と、鋭折部２５、２６と、差し込み部２７、２８とを有している。
【００１７】
左平板５の上延片１９は、左平板５の左側に位置しており、前後方向に伸延する略長方形の形状を有している。上延片１９の四辺のうち左側の辺は、中央付近が切込み線１９ａで形成されている。また、残りの三辺は幅を有する切込み線で形成されている。さらに、右側の辺の中央付近は、円弧状に窪んだ形状を有している。
【００１８】
左平板５の案内切込み部２０は、上延片１９の右側の辺を形成する切込み線の中央付近を基端として中央折曲げ線２３、２４のうち遠い方の中央折曲げ線２４まで伸延している。また、案内切込み部２０は、仕切板３の厚み程度の幅を有している。
【００１９】
左平板５の側延片２１、２２は、左側の辺であって前後の角に位置し、その形状は長方形である。前側の側延片２１は、左平板５の隣接する他の部分よりも前方に突出しており、後側の辺は折曲げ線２１ａで形成されている。また、右側の辺のうち突出していない部分は、切込み線２１ｂで形成されている。同様に、後側の側延片２２は、左平板５の隣接する他の部分よりも後方に突出しており、前側の辺は折曲げ線２２ａで形成されている。また、右側の辺のうち突出していない部分は、切込み線２２ｂで形成されている。
【００２０】
左平板５の中央折曲げ線２３、２４は、左平板５の左右方向の中央付近において伸延する平行に並んだ折曲げ線である。ただし、後述の鋭折部２５、２６および案内切込み部２０と重なる部分は、折曲げ線が施されていない。つまり、中央折曲げ線２３、２４は、断続的な折曲げ線となっている。
【００２１】
左平板５の鋭折部２５、２６は、左平板５上の２箇所に形成されており、いずれも左平板５における左右方向の略中央に位置している。また、鋭折部２５、２６の形状は略長方形であって、鋭折部２５、２６の前側および後側の辺は切込線により形成されており、左側および右側の辺は折曲げ線により形成されている。また、鋭折部２５、２６の中央には、前後方向に伸延する折曲げ線２５ａ、２６ａが形成されている。さらに、鋭折部２５、２６は、底平板４の切欠部１５〜１８と前後方向の位置が等しくなるように形成されている。
【００２２】
左平板５の差し込み部２７、２８は、左平板５に２箇所形成されており、いずれも左平板５の左側の辺に位置している。差し込み部２７、２８は、左平板５の左側の辺を基端として左方にわずかに突出している。さらに、差し込み部２７、２８は、底平板４の切欠部１５〜１８と前後方向の位置が等しくなるように形成されている。つまり、差し込み部２７、２８と、鋭折部２５、２６と、底平板の切欠部１５〜１８とは、一直線上に並ぶように形成されている。
【００２３】
右平板６は、組立状態において包装箱１の右側壁を構成する。図１に示すように、右平板６は底平板４の右側に位置して底平板４と連結しており、その境界部分には折曲げ線が施されている。右平板６は、前記の仮想中央線Ｌを基準として、左平板５と線対象の関係となっている。右平板６は、左平板５と同様に、上延片２９と、案内切込み部３０と、側延辺３１、３２と、中央折曲げ線３３、３４と、鋭折部３５、３６と、突出部３７、３８とを有している。これらの各構成部分２９〜３８については、左平板５の各構成部分１９〜２８と同様であるため詳細な説明は省略する。
【００２４】
前平板７は、組立状態において包装箱１の前側壁を構成する。図１に示すように、前平板７は、底平板４の前側に位置して底平板４と連結しており、その境界部分には折曲げ線が施されている。
【００２５】
後平板８は、組立状態において包装箱１の後側壁を構成する。図１に示すように、後平板８は、底平板４の後側に位置して底平板４と連結しており、その境界部分には折曲げ線が施されている。
【００２６】
前平板フラップ９、１０は、組立状態において包装箱１の左側壁の内部および右側壁の内部を構成する。図１に示すように、前平板フラップ９、１０は、前平板７の左右に位置して前平板７と連結しており、これらの境界部分には折曲げ線が施されている。左右の前平板フラップ９、１０は、前記の仮想中央線Ｌを基準として、線対称の関係となっている。いずれの前平板フラップ９、１０も、前側の辺には後方に窪む窪み部３９、４０が形成されている。さらに、窪み部３９、４０よりも左側および右側には、前方に突出する折曲げ部４１〜４４が形成されている。折曲げ部４１〜４４の基端部分は、折曲げ線が施されている。
【００２７】
後平板フラップ１１、１２は、組立状態において包装箱１の左側壁の内部および右側壁の内部を構成する部分である。図１に示すように、後平板フラップ１１、１２は、後平板８の左右に位置して後平板８と連結しており、これらの境界部分には折曲げ線が施されている。左右の後平板フラップ１１、１２は、前記の仮想中央線Ｌを基準として、線対称の関係となっている。いずれの後平板フラップ１１、１２も、後方の辺には前方に窪む窪み部４５、４６が形成されている。さらに、窪み部４５、４６よりも左側および右側には、後方に突出する折曲げ部４７〜５０が形成されている。折曲げ部４７〜５０の基端部分は、折曲げ線が施されている。
【００２８】
仕切り板３は、組立状態において、包装箱１の内部を仕切る部材である。図１に示すように、仕切り板３は、左右に伸延する形状を有している。仕切り板３は、直立切込み部５１、５２と、誘導切込み部５３、５４を有している。直立切込み部５１、５２は、中央付近に位置し、仕切り板３の下辺から上方に切込まれた部分である。誘導切込み部５３、５４は、外側端から内側上方に伸延するように切込まれている。誘導切込み部５３、５４の入口部は、仕切り板３の下側の辺よりも上方に位置しており、誘導切込み部５３、５４の奥の部分よりも広くなっている。
【００２９】
以上が、包装箱１の組立に使用する段ボールシート１Ａについての説明である。次に、段ボールシート１Ａを使用した包装箱１の組立方法について説明する。図２〜５は、包装箱１の組立工程を順に示した図である。
【００３０】
まず、図２に示すように、前平板７と底平板４との境界部分を谷折りにして前平板７を起立させる。同様に、後平板８と底平板４との境界部分を谷折りにして後平板８を起立させる。これにより、包装箱１の前側壁と、後側壁が形成される。このとき、前平板フラップ９、１０は前平板７に連結しているため、前平板フラップ９、１０も前平板７が起立されるのに伴って起立される。同様に、後平板フラップ１１、１２は後平板８と連結しているため、後平板フラップ１１、１２も後平板８が起立されるのに伴って起立される。その後、前平板フラップ９、１０および後平板フラップ１１、１２の折曲げ部４１〜４４、４７〜５０を、各フラップ９〜１２と直角になるように内側に折込む。
【００３１】
次に、図３に示すように、前平板フラップ９、１０を前平板７と直角になるように、内側に折込む。同様に、後平板フラップ１１、１２を後平板８と直角になるように、内側に折込む。これにより、左側の前平板フラップ９と左側の後面フラップ１１とが包装箱１の左側壁の一部を構成し、右側の前平板フラップ１０と右側の後面フラップ１２とが包装箱１の右側壁の一部を構成する。
【００３２】
次に、図４に示すように、左平板５を起立させて、さらに左側の前平板フラップ９と左側の後平板フラップ１１とを巻き込むように内部側に折返す。同様に、右平板６を起立させて、さらに右側の前平板フラップ１０と右側の後平板フラップ１２とを巻き込むように内部に折返す。その後、左平板５の差し込み部２７、２８および右平板６の差し込み部３７、３８を底平板４の切欠部１５〜１８に挿入して、左平板５および右平板６を底平板４に固定する。これにより、外側の面が左平面５であって、内部部分が左側の前平板フラップ９および左側の後平板フラップ１１であって、内側の面が左平面５である、包装箱１の左側壁が完成する。同様に、外側の面が右平面６であって、内部部分が右側の前平板フラップ１０および右側の後平板フラップ１２であって、内側の面が右平面６である、包装箱１の右側壁が完成する。また、このとき、左右の側壁の上部には、案内切込み部２０、３０の端部が現れている。
【００３３】
ここで、左平板５を折返す際は、中央折曲げ線２３、２４の部分をそれぞれ直角に折曲げ、両中央折曲げ線２３、２４の間の部分が左側壁の上面部分を形成するようにする。こうすることにより、左平板５のうち外側を形成する面と、左平板５のうち内側を形成する面との間に隙間が生じ、左側の前平板フラップ９および左側の後平板フラップ１１を中に含んでいても、綺麗に折込むことができる。また、右平板６も左平板５と同じようにすることで、綺麗に折込むことができる。
【００３４】
また、鋭折部２５、２６、３５、３６には、中央折曲げ線２３、２４、３３、３４は施されておらず、中央に1本の折曲げ線２５ａ、２６ａ、３５ａ、３６ａが施されている。そのため、鋭折部２５、２６、３５、３６の折曲げ線２５ａ、２６ａ、３５ａ、３６ａの部分は、鋭角に折られ、図１に示すように、左右側壁の他の上面よりも上方に突出する。鋭折部２５、２６、３５、３６は、このような構成を有しているため、包装箱１を積み重ねるときに、上方に位置する包装箱１の底平板４に施された切欠部１５〜１８に鋭折部２５、２６、３５、３６を挿入することができる。これにより、鋭折部２５、２６、３５、３６が切欠部１５〜１８に係合し、包装箱１を崩さず安定して積み重ねることができる。
【００３５】
また、右平板６を折返す前に、側延片３１、３２を折込み線３１ａ、３２ａに沿って山折りに折込むと、図４に示すように、側延片３１、３２は傾斜してその先端が前平板７および後平板８に接する。また、側延片３１、３２は右平板６の角に位置することから、底面板４とも接する。よって、側延片３１、３２は安定した状態で固定され、食品トレーの縁を支える支持部として機能することができる。同様に、左平板５の側延片２１、２２も支持部として機能する。
【００３６】
また、左平板５を折返すことにより、左平板５に施された上延片１９は、底辺付近を基端として上方に延びる状態となり、案内切込み部２０が、上延片１９の上部において上下方向に伸延する状態となる。同様に、右平板６を折返すことにより、右平板６に施された上延片２９が底辺付近を基端として上方に延びる状態となり、案内切込み部３０が上延片２９の上部において上下方向に伸延する状態となる。
【００３７】
その後、底平板４に施された、２つの切り起こし部１３、１４を起立させる。切り起こし部１３、１４は、後述する仕切り板２で固定されることで、食品用トレーの縁を支える支持部として機能することができる。
【００３８】
次に、図５に示すように、図４の状態の包装箱１に仕切り板３を組込む。このとき、包装箱１の左側壁と右側壁の間を掛け渡すように仕切り板を挿入する。これにより、仕切り板３の両端がしっかりと固定される。また、仕切り板３の直立切込み部５１、５２が、切り起こし部１３、１４中央の内方に深く入り込んだ部分に位置するようにする。これにより、切り起こし部１３、１４が仕切り板３に固定される。さらに、仕切り板３を案内切込み２０、３０に沿うように挿入する。これにより、仕切り板３をまっすぐに挿入できるとともに、上下方向以外に動かすことができないため、より強固に包装箱１の側壁と仕切り板３とを結合させることができる。
【００３９】
さらに、仕切り板３を組込む際には、誘導切込み部５３、５４に上延片１９、２９が導入されるようにする。図６は、右側の上延片５４付近の縦断面図であって、（ａ）〜（ｃ）は仕切り板３の挿入状況毎の上延片２９と誘導切込み部５４との関係を示した図である。図６（ａ）は、上延片２９が誘導切込み部５４に係合する前の状態を表わしている。図６（ａ）に示すように、誘導切込み部５４の入口は、上延片２９よりも外側に位置している。そのため、仕切り板３を鉛直下方に移動させると、上延片２９は誘導切込み部５４の入口に導入されることになる。図６（ｂ）は、図６（ａ）の状態から仕切り板３を鉛直下方に移動した状態の図である。図６（ｂ）に示すように、仕切り板３が鉛直下方に移動すると、上延片２９は誘導切込み部５４に係合する。また、誘導切込み部５４は、外側端から内側上方に伸延するように切込まれているため、上延片２９は誘導切込み部５４に誘導され、内部側に傾斜する。図６（ｃ）は、図６（ｂ）の状態からさらに、仕切り板３を鉛直下方に移動した状態の図である。図６（ｃ）に示すように、仕切り板３を包装箱１に底に接するまで挿入すると、上延片２９は、より内部へ傾いた状態となって固定される。図６（ｃ）の状態では、上延片２９はその周辺の他の部分よりも内側に突出している。図７は、包装箱に、食品用トレーＴを包装した状態の断面図である。図６（ｃ）の状態では、図７に示すように、は上延片２９の突出した部分が、食品用トレーＴの縁を支えることができ、切り起こし部１４等とともに支持部として機能することができる。なお、本実施形態にかかる包装箱１によれば、食品用トレーＴを４つ包装することができる。
【００４０】
以上が、包装箱１の組立方法の説明である。このように、本実施形態にかかる包装箱１は、切り起こし部１３、１４と、上延部１９、２９と、側延部２１、２２、３１、３２とが支持部として機能する。つまり、従来必要としていた側壁の全範囲に沿うような支持部を特別に設けなくとも、側壁側については部分的に設けられた上延片１９、２９が食品用トレーＴの縁を支えることができる。さらに、側壁の全範囲に沿うような支持部を設ける必要が無いことから、段ボールシート１Ａの面積を小さくすることができ、組立作業も容易に行うことができる。これに加え、本実施形態にかかる段ボールシート１Ａによれば、段ボールシート１Ａを切断加工と罫線加工で作ることができ、接着剤も不要であることから、製造コストを抑えることができる。
【００４１】
以上、本願発明にかかる包装箱１を実施するための最良の形態について、図１〜７を参照しつつ説明した。以上では、左平板５および右平板６が切込み線を有し、この切込み線が上延片１９、２９の縁となる場合について説明しが、切込み線に替えて切断線としてもよい。かかる構成によれば、切断線に沿って左側壁又は右側壁の一部を切込むことで上延片を構成することができる。
【産業上の利用可能性】
【００４２】
本発明によれば、縁付きの食品用トレーをその底が浮いた状態で包装できる包装箱であって、従来のものに比べ使用する材料が少ない包装箱を提供することができる。よって、包装箱の技術分野において、特に縁付きの食品用トレーを包装するための包装箱の技術分野において有益である。
【図面の簡単な説明】
【００４３】
【図１】本願発明の一実施形態にかかる包装箱の組立に使用する段ボールシートの平面図である。
【図２】本願発明の一実施形態にかかる包装箱の組立工程を示した図である。
【図３】本願発明の一実施形態にかかる包装箱の組立工程を示した図である。
【図４】本願発明の一実施形態にかかる包装箱の組立工程を示した図である。
【図５】本願発明の一実施形態にかかる包装箱の組立工程を示した図である。
【図６】図１の上延片付近の縦断面図であって、仕切り板の挿入程度による上延片と導入切込み部との関係を示した図である。
【図７】図１の組立式包装容器に、食品用トレーを包装した状態の断面図である。
【符号の説明】
【００４４】
１  包装箱
１Ａ  段ボールシート
３  仕切り板
４  底平板
５  左平板
６  右平板
７  前平板
８  後平板
９、１０  前平板フラップ
１１、１２  後平板フラップ
１９、２９  上延片
２０、３０  案内切込部
５３、５４  誘導切込み部
Ｔ  食品用トレー
【図１】
2008081175.tif 000003
【図２】
2008081175.tif 000004
【図３】
2008081175.tif 000005
【図４】
2008081175.tif 000006
【図５】
2008081175.tif 000007
【図６】
2008081175.tif 000008
【図７】
2008081175.tif 000009